【手続補正書】
【提出日】平成20年3月13日(2008.3.13)
【手続補正１】
【補正対象書類名】明細書
【補正対象項目名】発明の名称
【補正方法】変更
【補正の内容】
【発明の名称】商用情報提供システムおよびサーバー装置
【手続補正２】
【補正対象書類名】明細書
【補正対象項目名】特許請求の範囲
【補正方法】変更
【補正の内容】
【特許請求の範囲】
【請求項１】  ＷＷＷ（World Wide Web）のホームページ上に設置する入力画面に顧客側施設から入力された顧客に関する情報を通信回線を介して受信する、サーバー側施設の第１の発注手段と、
受信した前記顧客に関する情報に適合した商用情報を検索し、前記適合した商用情報を前記通信回線を介して前記顧客側施設に送信する、前記サーバー側施設の第１の商用情報送付手段と、
前記適合した商用情報を前記顧客側施設に表示し、前記表示した商用情報のうち一または複数の商用情報を選択させると共に、前記選択された商用情報を前記通信回線を介して前記サーバー側施設に送信する、前記顧客側施設の第２の発注手段と、
前記第２の発注手段により送信された商用情報に対応する情報記録媒体用の商用情報を検索し、前記情報記録媒体用の商用情報を前記通信回線を介して前記顧客側施設に送信する、前記サーバー側施設の第２の商用情報送付手段と、
前記情報記録媒体用の商用情報を、前記顧客が所有する情報記録媒体に記録する、前記顧客側施設の商用情報書き込み手段と、
前記顧客が所有する情報記録媒体に記録された商用情報を表示する、前記顧客側施設の商用情報表示手段と、
を有する商用情報提供システム。
【請求項２】  前記サーバー側施設は、ＷＷＷ上に前記ホームページを設置するホームページサーバーと、顧客に提供する商用情報を記録するデータベースを備えた提供サービス管理サーバーと、顧客情報を記録するデータベースを備えた顧客管理サーバーとを有する請求項１記載の商用情報提供システム。
【請求項３】  前記情報記録媒体がＩＣカードである請求項１記載の商用情報提供システム。
【請求項４】  前記顧客に関する情報は、前記顧客の氏名、職業、性別を含む個人情報に加えて、前記顧客の嗜好に関する情報、前記顧客の行動範囲に関する情報を任意に含み得る請求項１記載の商用情報提供システム。
【請求項５】  前記商用情報は、商品情報、店舗情報、サービス情報を任意に含み得る請求項１記載の商用情報提供システム。
【請求項６】  前記商用情報は、関連する情報を検索するためのキー情報を含み得る請求項１記載の商用情報提供システム。
【請求項７】  前記商用情報は、関連する地図情報を検索するためのキー情報を含み得る請求項６記載の商用情報提供システム。
【請求項８】  ＷＷＷのホームページ上に設置した入力画面に顧客側施設から入力された顧客に関する情報を通信回線を介して受信する第１の発注手段と、
受信した前記顧客に関する情報に適合した商用情報を検索し、前記適合した商用情報を前記通信回線を介して前記顧客側施設に送信する第１の商用情報送付手段と、
前記適合した商用情報の中から前記顧客側施設で選択された商用情報を前記通信回線を介して受信する第２の発注手段と、
前記第２の発注手段により受信された商用情報に対応する情報であって、前記顧客が所有する情報記録媒体への書き込み用の商用情報を検索し、検索された商用情報を前記通信回線を介して前記顧客側施設に送信する第２の商用情報送付手段と、
を有するサーバー装置。
【手続補正３】
【補正対象書類名】明細書
【補正対象項目名】０００１
【補正方法】変更
【補正の内容】
【０００１】
【発明の属する技術分野】
本発明は、商用情報提供システムおよびサーバー装置に関し、特に、複数の販売店やサービス業者がＷＷＷ上のホームページ以下のページで掲示した様々な商品情報、店舗情報、サービス情報等をメタ検索して顧客に提供し、閲覧の便宜を図ることができる商用情報提供システムおよびサーバー装置に関する。
【手続補正４】
【補正対象書類名】明細書
【補正対象項目名】００１１
【補正方法】変更
【補正の内容】
【００１１】
本発明は、以上のような従来の商用情報提供システムにおける問題点に鑑みてなされたものであり、顧客側と、ホームページサーバーを含むシステム運営側の各サーバーの各々に役割分担を設定することで、システム全体の維持・運営コストと、労力負担とを軽減し、かつ顧客の個人情報と地域性に適合した商用情報を提供することができる商用情報提供システムおよびサーバー装置を提供することを目的とする。
【手続補正５】
【補正対象書類名】明細書
【補正対象項目名】００１２
【補正方法】変更
【補正の内容】
【００１２】
【課題を解決するための手段】
本発明では上記の課題を解決するために、ＷＷＷのホームページ上に設置する入力画面に顧客側施設から入力された顧客に関する情報を通信回線を介して受信する、サーバー側施設の第１の発注手段と、受信した前記顧客に関する情報に適合した商用情報を検索し、前記適合した商用情報を前記通信回線を介して前記顧客側施設に送信する、前記サーバー側施設の第１の商用情報送付手段と、前記適合した商用情報を前記顧客側施設に表示し、前記表示した商用情報のうち一または複数の商用情報を選択させると共に、前記選択された商用情報を前記通信回線を介して前記サーバー側施設に送信する、前記顧客側施設の第２の発注手段と、前記第２の発注手段により送信された商用情報に対応する情報記録媒体用の商用情報を検索し、前記情報記録媒体用の商用情報を前記通信回線を介して前記顧客側施設に送信する、前記サーバー側施設の第２の商用情報送付手段と、前記情報記録媒体用の商用情報を、前記顧客が所有する情報記録媒体に記録する、前記顧客側施設の商用情報書き込み手段と、前記顧客が所有する情報記録媒体に記録された商用情報を表示する、前記顧客側施設の商用情報表示手段とを有する商用情報提供システムが提供される。
【手続補正６】
【補正対象書類名】明細書
【補正対象項目名】００１３
【補正方法】変更
【補正の内容】
【００１３】
即ち、本発明では、顧客が入手を希望する商用情報（商品情報、店舗情報、サービス情報等）の発注手段として、ＷＷＷのホームページ上に、顧客の注文を含む情報を入力させるための入力画面を設置し、この入力画面を介して、商用情報を注文する顧客（即ち、商用情報の取り寄せを希望する顧客）に関する情報（個人情報、嗜好情報、行動範囲等）を、顧客に入力させ、かつ通信回線を介してサーバー側施設に送信し、このサーバー側施設が、この顧客に関する情報に適合した商用情報を検索して顧客側施設に送信する。顧客側施設は、これを顧客に視認させて、選択させると共に、この選択された商用情報を再びサーバー側施設に通信回線を介して送信し、このサーバー側施設が、この選択された商用情報に対応する情報記録媒体用（例えばＩＣカード書き込み用）の商用情報を検索して顧客側の端末に再び送信する。この情報記録媒体用の商用情報は顧客側施設において顧客が所有する情報記録媒体に記録され、顧客の必要に応じて、適宜表示される。これにより、システム全体の維持・運営コストと労力負担を軽減し、かつ顧客の個人情報と地域性に適合した商用情報を提供することを可能にしている。
【手続補正７】
【補正対象書類名】明細書
【補正対象項目名】００４８
【補正方法】変更
【補正の内容】
【００４８】
【発明の効果】
以上に説明したとおり、本発明では、商用情報の利用及び提供に際し、顧客側と、システム運営側の各サーバーの各々に役割分担を設定することが可能となり、システム全体の維持・運営コストと、労力負担とが軽減され、かつ顧客の個人情報と地域性に適合した商用情報を提供することができる。